(57)【要約】      （修正有）【課題】夜間の走行時における安全性の確保、及び装飾付き車輪カバーの有する美感の向上等を図った車輪カバー用照明器具を提供する。【解決手段】車輪カバー２０は、装飾２２が施された円錐状をなすカバー本体２１と、このカバー本体２１の中央に形成された開口部２３とを有している。カバー本体２１は、この開口部２３が、車輪の中央のハブに対向するように、車輪に着脱自在に固定されて、このカバー本体２１の内側が、車輪のスポーク部分を外側から覆う。照明器具３０は、開口部２３に装着され、車輪カバー２０の内側から照明するものであり、開口部２３の内側へ突出する光源収納部４２を有する収納容器４０と、光源収納部４２の壁を透過し、車輪カバー２０の内側に沿って照明光を一定方向へ放射する複数のＬＥＤ７０と、これらのＬＥＤ７０を点灯する点灯回路と、を備えている。【選択図】図１
0003190891.tif 000002
【実用新案登録請求の範囲】
【請求項１】
装飾が施された円錐状をなす光透過性のカバー本体と、
前記カバー本体の中央に形成された開口部と、を有し、
前記開口部が、車椅子１の車輪の中央のハブに対向するように、前記カバー本体が、前記車輪に着脱自在に装着されて、前記カバー本体の内側が、前記車輪のスポーク部分を外側から覆う車輪カバーに対して、前記カバー本体の内側から照明する車輪カバー用照明器具であって、
前記車輪カバーの前記開口部に着脱自在に装着され、前記開口部の内側へ突出する光透過性の光源収納部を有する収納容器と、
前記光源収納部内に配設され、前記光源収納部の壁を透過し、前記カバー本体の内側に沿って照明光を一定方向へ放射する光源と、
前記収納容器内に設けられ、前記光源を点灯する点灯回路と、
を備えることを特徴とする車輪カバー用照明器具。
【請求項２】
前記開口部には、環状部材が取り付けられ、
前記収納容器は、前記環状部材を介して、前記開口部に着脱自在に装着される構成になっていることを特徴とする請求項１記載の車輪カバー用照明器具。
【請求項３】
前記収納容器は、
前記開口部の外側に突出し、前記点灯回路の電源部を収納する電源収納部と、
前記電源収納部に突設され、前記光源を収納する前記光源収納部と、を有し、
前記電源収納部は、着脱自在の蓋により封止される構成になっていることを特徴とする請求項１又は２記載の車輪カバー用照明器具。
【請求項４】
前記電源部は、
回路駆動用の電池及び電源スイッチを有し、
前記電源スイッチは、前記蓋を介して、外部から押下することによってオン／オフ状態が切り替え可能な構成になっていることを特徴とする請求項３記載の車輪カバー用照明器具。
【請求項５】
前記光源は、円周上に所定間隔隔てて配置された複数の発光ダイオードにより構成されていることを特徴とする請求項１〜４のいずれか１項記載の車輪カバー用照明器具。
【請求項６】
前記複数の発光ダイオードは、前記電源スイッチの押下により、同時に又は間欠的に点灯する構成になっていることを特徴とする請求項５記載の車輪カバー用照明器具。
【考案の詳細な説明】
【技術分野】
【０００１】
本考案は、車椅子の車輪のスポーク部分を覆う防護用の車輪カバーを照明するための車輪カバー用照明器具に関するものである。
【背景技術】
【０００２】
従来、例えば、特許文献３に記載されているように、車椅子は、左右両側に車輪が設けられているが、この車輪のスポークに指等が触れて怪我することがあるので、これを防止するために、車輪の外側からスポーク部分を覆う円錐状の車輪カバーを装着する技術が知られている。又、特許文献１、２、４に記載されているように、車輪カバーの外側に様々な装飾を施すことにより、車椅子の美感を向上させる技術も知られている。
【先行技術文献】
【特許文献】
【０００３】
【特許文献１】特開２００２−８５４６０号公報
【特許文献２】特開２００３−７９６７０号公報
【特許文献３】特開２００３−１２７６０３号公報
【特許文献４】実用新案登録第３１８６７１７号公報
【考案の概要】
【考案が解決しようとする課題】
【０００４】
しかしながら、従来の車輪カバーを装着した車椅子では、夜間の走行時において、他人から見て、その車椅子が見にくく、安全性の点で問題があった。これを解決するために、車椅子の車体の適当な位置に、照明灯等を取り付けることも可能であるが、その設置位置や操作のし易さ等の点で、技術的に困難な点があった。しかも、夜間の走行時においては、装飾付き車輪カバーの有する美感の向上の機能も、充分に発揮されていないという課題もあった。
【０００５】
このような従来の課題を解決するために、本考案は、夜間の走行時における安全性の確保、及び装飾付き車輪カバーの有する美感の向上等を図ることが可能な車輪カバー用照明器具を提供することを目的とする。
【課題を解決するための手段】
【０００６】
本考案の車輪カバー用照明器具は、装飾が施された円錐状をなす光透過性のカバー本体と、前記カバー本体の中央に形成された開口部と、を有し、前記開口部が、車椅子の車輪の中央のハブに対向するように、前記カバー本体が、前記車輪に着脱自在に装着されて、前記カバー本体の内側が、前記車輪のスポーク部分を外側から覆う車輪カバーに対して、前記カバー本体の内側から照明するものである。
【０００７】
そして、本考案の車輪カバー用照明器具では、前記車輪カバーの前記開口部に着脱自在に装着され、前記開口部の内側へ突出する光透過性の光源収納部を有する収納容器と、前記光源収納部内に配設され、前記光源収納部の壁を透過し、前記カバー本体の内側に沿って照明光を一定方向へ放射する光源と、前記収納容器内に設けられ、前記光源を点灯する点灯回路と、を備えることを特徴とする。
【考案の効果】
【０００８】
本考案によれば、次の（ａ）〜（ｃ）のような効果がある。
（ａ）  夜間の走行時において、照明器具を点灯すれば、他人から見て、車椅子が見やすくなり、安全性を確保できる。
【０００９】
（ｂ）  夜間の走行時において、照明器具を点灯すれば、車輪カバーに施した装飾が幻想的に浮かび上がるので、美感がより向上する。
【００１０】
（ｃ）  車輪カバーに照明器具を取り付けるようにしているので、走行時において照明器具が使用者の邪魔にならない。更に、照明器具の構造が簡単で、且つ車輪カバーへの取り付けが容易であるため、使い勝手が良く、しかも、故障し難く、低コストで製造できる。
【図面の簡単な説明】
【００１１】
【図１】図１は図３中の車輪カバー２０及び照明器具３０を示す概略の構成図である。
【図２】図２は本考案の実施例１における車椅子を示す側面図である。
【図３】図３は図２中の車輪箇所を示す縦断面拡大図である。
【図４】図４は図１（ａ）中の照明器具３０を示す外観図である。
【図５】図５は図４（ａ）のＡ−Ａ線断面図である。
【図６】図６は図４（ａ）のＢ−Ｂ線断面図である。
【図７】図７は図４（ａ）のＣ−Ｃ断面図である。
【図８】図８は図５〜図７中の点灯回路を示す回路図である。
【図９】図９は実施例１における点灯回路の変形例を示す回路図である。
【考案を実施するための形態】
【００１２】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１３】
（実施例１の構成）
図２は、本考案の実施例１における車椅子を示す側面図である。更に、図３は、図２中の車輪箇所を示す縦断面拡大図である。
【００１４】
本実施例１の車椅子１は、一般の自走式の車椅子であり、パイプフレームの結合で構成された車体２の左右両側に、回転自在に車輪１０が取り付けられている。左右両側の車輪１０の外側には、ハンドリム１８が設けられ、このハンドリム１８を利用者が手で操作することにより、走行操作が行えるようになっている。車輪１０は、外周にタイヤ１１が取り付けられたリム１２を有し、このリム１２の中央に、円筒状の軸受け部であるハブ１３が設けられている。ハブ１３の両端には、フランジ１３ａ，１３ｂが突設されている。車体２には、ハブ１３を貫通する車軸１６が取り付けられている。
【００１５】
ハブ１３は、数組のベアリングによって、車軸１６を回転自在に支持している。ハブ１３は、この外側のフランジ１３ａ側に設けたナット１７により、車軸１６に対して着脱可能に取り付けられている。ハブ１３の両端のフランジ１３ａ，１３ｂには、複数の孔が形成され、これらの孔に複数の棒状のスポーク１４の一端が、それぞれ引っ掛けられている。複数のスポーク１４の他端は、ニップル１５を介してリム１２にそれぞれ固定され、これらの複数のスポーク１４によって、ハブ１３とリム１２とが繋がれている。
【００１６】
複数のスポーク１４の外側は、これらのスポーク１４に対して着脱自在に取り付けられた車輪カバー２０によって覆われている。車輪カバー２０は、円錐形状のカバー本体２１を有している。カバー本体２１は、この外径がリム１２の内径よりも小さく、光透過性の部材（例えば、ＰＥＴ（ポリエチレンテレフタレート）樹脂等のプラスチック材）によって形成されている。カバー本体２１の外側の表面の全部又は一部には、絵、図柄その他の模様、文字及び色彩等の装飾２２が施されている。なお、装飾２２は、カバー本体２１の内側の裏面、あるいはカバー本体２１の肉厚内に施しても良い。
【００１７】
カバー本体２１の中央には、円形の開口部２３が形成され、更に、カバー本体２１の周縁部付近に、複数の装着孔２４が形成されている。カバー本体２１は、この開口部２３がハブ１３側のナット１７に対向するように、複数の装着孔２４にそれぞれ挿入された留め具２５により、複数のスポーク１４に着脱自在に取り付けられている。
【００１８】
留め具２５は、装着孔２４の外側に接触する円形の頭部２５ａを有し、この頭部２５ａに、一対の係止爪２５ｂ，２５ｃが突設されている。留め具２５の係止爪２５ｂ，２５ｃを装着孔２４に挿入し、この係止爪２５ｂ，２５ｃによってスポーク１４を挟持することにより、車輪カバー２０が複数のスポーク１４に着脱自在に固定される。
【００１９】
カバー本体２１の開口部２３には、環状部材２６が取り付けられ、この環状部材２６を通して、車輪カバー２０用の照明器具３０が着脱自在に装着されている。環状部材２６は、開口部２３の口径を調整する機能や、開口部２３の摩耗や破損等を防止する機能を有し、軟質性の合成樹脂等により形成されている。照明器具３０は、車輪カバー２０の内側の裏面に沿って照明光を照射し、その車輪カバー２０に施した装飾２２を幻想的に浮かび上がらせて美感を向上させる機能等を有している。
【００２０】
図１（ａ）、（ｂ）は、図３中の車輪カバー２０及び照明器具３０を示す概略の構成図であり、同図（ａ）は、車輪カバー２０及び照明器具３０の縦断面図、及び、同図（ｂ）は、車輪カバー２０の斜視図である。
【００２１】
照明器具３０は、環状部材２６を通して車輪カバー２０の開口部２３に着脱自在に装着され、その開口部２３の内側へ突出する収納容器４０を有している。収納容器４０は、開口部２３の外側に突出する電源収納部４１と、この電源収納部４１に突設されて開口部２３の内側に突出する光源収納部４２とを有し、絶縁部材（例えば、アクリル樹脂等のプラスチック材等）により形成されている。
【００２２】
電源収納部４１は、一端に開口部４１ａを有する円筒状をなし、この内部に、点灯回路の電源部（例えば、回路駆動用の電池６１を保持する電池保持部６２、及び電源スイッチ６３）が収納されている。開口部４１ａには、合成ゴム等の弾力性を有する蓋５０が着脱自在に被せられて封止されている。
【００２３】
光源収納部４２は、電源収納部４１の直径よりも小さな直径を有し、一端が開口されて電源収納部４１の他端に延設され、他端が閉塞されて凹部４２ａが形成された円筒形状をしている。光源収納部４２の内部には、円板状の配線基板６４に接続された光源としての複数の青色の発光ダイオード（以下「ＬＥＤ」という。）７０が収納されている。光源収納部４２に形成された凹部４２ａは、車輪１０側のナット１７を受け入れるためのものである。
【００２４】
複数のＬＥＤ７０は、同一の円周上に所定間隔隔てて配置され、光源収納部４２の側壁を透過し、車輪カバー２０の内側の裏面に沿って照明光Ｈ１を一定方向へ放射する機能を有している。照明光Ｈ１は、車輪カバー２０の裏面で乱反射し、この車輪カバー２０を透過した透過光Ｈ２が、車輪カバー２０の表面側へ放射され、カバー本体２１に施した装飾２２が幻想的に浮かび上がるようになっている。そのため、光源収納部４２は、光透過性の部材（例えば、透明なアクリル樹脂等のプラスチック材）により形成されている。なお、電源収納部４１は、光透過性を有しない部材により形成しても良い。
【００２５】
図４（ａ）、（ｂ）は、図１（ａ）中の照明器具３０を示す外観図であり、同図（ａ）は平面図、及び、同図（ｂ）は底面図である。図５は、図４（ａ）のＡ−Ａ線断面図、図６は、図４（ａ）のＢ−Ｂ線断面図、更に、図７は、図４（ａ）のＣ−Ｃ断面図である。
【００２６】
照明器具３０において、収納容器４０の電源収納部４１には、２つの電池６１を挿脱自在に保持する電池保持部６２と、押しボタン式の電源スイッチ６３とが収納されている。電池保持部６２は、上面である平面が開口された箱形をなし、この箱形の底面の外縁部が、電源収納部４１の他端側に載置されている。押しボタン式の電源スイッチ６３は、押下用の頭部６３ａと、この頭部６３ａの押下に連動して接点がオン／オフ状態に切り替えられるスイッチ部６３ｂと、により構成されている。
【００２７】
電源収納部４１の開口部４１ａに被せられた蓋５０は、この内壁面に、円筒状のスイッチ収容部５１が突設されている。スイッチ収容部５１には、電源スイッチ６３の頭部６３ａの一部が挿入されている。スイッチ収容部５１を外側から押下することにより、電源スイッチ６３の頭部６３ａが押下されて、スイッチ部６３ｂがオン／オフ状態に切り替えられる。
【００２８】
収納容器４０の光源収納部４２において、開口された一端側の外周面には、環状部材２６の内周面に形成された係合凸部２６ａを嵌入するための係合凹部４２ｂが形成されている。光源収納部４２の閉塞された他端側の底面には、車輪１０側のナット１７を受け入れるための円形の凹部４２ａが形成されている。凹部４２ａの内壁面には、２つの螺子受け突起４２ｃ，４２ｄが突設されている。光源収納部４２の一端側の内部には、円板状の配線基板６４が収容され、この配線基板６４の裏面側に、円板状の反射板６５が配置されている。反射板６５は、放熱板としての機能も有している。
【００２９】
配線基板６４の表面側には、２つの円筒状の支柱６６，６７が固定されている。支柱６６，６７の頂部には、電池保持部６２の底面が載置されている。電池保持部６２の底面は、２つの螺子６８，６９により、支柱６６，６７の貫通孔と配線基板６４及び反射板６５の貫通孔とを介して、光源収納部４２側の螺子受け突起４２ｃ，４２ｄに固定されている。
【００３０】
配線基板６４の表面側には、電源スイッチ６３のスイッチ部６３ｂが固定されている。配線基板６４の裏面側には、反射板６５を介して、複数のＬＥＤ７０が同一円周上に所定間隔隔てて配置されている。電源スイッチ６３、電池保持部６２内の２つの電池６１、及び複数のＬＥＤ７０は、配線基板６４の表面側において、図示しない配線によって電気的に接続されている。
【００３１】
図８は、図５〜図７中の点灯回路を示す回路図である。
点灯回路は、例えば、２つの電池６１の＋側電極と−側電極との間に、電源スイッチ６３及び複数のＬＥＤ７０が直列に接続されて構成されている。
【００３２】
（実施例１の照明器具等の取り付け例）
図１（ａ）中の照明器具３０を図１（ｂ）の車輪カバー２０に取り付ける場合、予め、その車輪カバー２０の開口部２３に、環状部材２６を取り付けておく。そして、照明器具３０の光源収納部４２を環状部材２６内へ押し込めば、環状部材２６側の係合凸部２６ａが光源収納部４２側の係合凹部４２ｂへ嵌入される。これにより、照明器具３０が車輪カバー２０へ装着される。
【００３３】
照明器具３０が装着された車輪カバー２０を車輪１０へ取り付ける場合、照明器具３０側の凹部４２ａを車輪１０側のナット１７に対向させると共に、車輪カバー２０側の装着孔２４を車輪１０側のスポーク１４に対向させ、その車輪カバー２０の裏面側の周縁を車輪１０側のスポーク１４へ接触させる。そして、車輪カバー２０の装着孔２４へ留め具２５を押し込めば、この留め具２５の係止爪２５ｂ，２５ｃによってスポーク１４が挟持される。これにより、照明器具３０が装着された車輪カバー２０が、車輪１０へ固定される。
【００３４】
（実施例１の動作）
利用者が図２の車椅子１に乗り、手でハンドリム１８を操作すれば、左右両側の車輪１０が回転し、走行が行える。車輪１０が回転すると、図１（ａ）中の車輪カバー２０及び照明器具３０も回転する。例えば、夜間の走行時において、照明器具３０の蓋５０の外側から電源スイッチ６３を押下して、その電源スイッチ６３をオン状態にしておけば、図８の点灯回路における複数のＬＥＤ７０が点灯する。ＬＥＤ７０が点灯すると、このＬＥＤ７０の照明光Ｈ１が、光源収容部４２の側壁を透過し、車輪カバー２０の裏面側に沿って周縁方向へ放射される。
【００３５】
放射された照明光Ｈ１は、車輪カバー２０の裏面側で乱反射し、この車輪カバー２０を透過した透過光Ｈ２が、車輪カバー２０の表面側へ放射される。又、車輪カバー２０の裏面側に沿って周縁方向へ放射された照明光Ｈ１の一部は、車輪１０側のリム１２で反射し、車輪カバー２０を透過して、この透過光Ｈ２が車輪カバー２０の表面側へ放射される。これにより、車輪カバー２０に施された装飾２２が幻想的に浮かび上がり、美感が著しく向上する。
【００３６】
なお、照明器具３０の電池６１が消耗した場合、蓋５０を電源収納部４１から外して、新しい電池６１と交換し、再度、その蓋５０を電源収納部４１に被せれば、簡単に電池交換が行える。
【００３７】
（実施例１の効果）
本実施例１によれば、次の（ａ）〜（ｃ）のような効果がある。
【００３８】
（ａ）  夜間の走行時において、照明器具３０を点灯すれば、他人から見て、車椅子１が見やすくなり、安全性を確保できる。
【００３９】
（ｂ）  夜間の走行時において、照明器具３０を点灯すれば、車輪カバー２０に施した装飾２２が幻想的に浮かび上がるので、美感がより向上する。
【００４０】
（ｃ）  車輪カバー２０の中央に、照明器具３０を取り付けるようにしているので、照明器具３０が走行時において使用者の邪魔にならない。蓋５０の外側から電源スイッチ６３を押下することにより、照明器具３０をオン／オフできるので、使用者が操作し易い。更に、図８の点灯回路を含めた照明器具３０の構造が簡単で，且つ車輪カバー２０への取り付けが容易であるため、使い勝手が良く、しかも、故障し難く、低コストで製造できる。
【００４１】
（変形例）
本考案は、上記実施例１に限定されず、種々の利用形態や変形が可能である。この利用形態や変形例としては、例えば、次の（１）〜（４）のようなものがある。
【００４２】
（１）  照明器具３０における収納容器４０及び蓋５０の構造は、図示以外の構造に変更しても良い。例えば、蓋５０を省略し、収納容器４０を構成する電源収納部４１と光源収納部４２とを分離し、その電源収納部４１に蓋５０の機能を持たせ、光源収納部４２に対して着脱自在の構造に変更しても良い。この際、電源収納部４１と光源収納部４２とは、螺合によって結合する構造、あるいは、嵌合等によって結合する構造にすれば良い。
【００４３】
（２）  図８の点灯回路では、光源として青色ＬＥＤ７０を使用しているが、他の発光色のＬＥＤを使用しても良い。
【００４４】
（３）  図８の点灯回路は、例えば、図９のような他の回路構成に変更しても良い。
図９は、実施例１における点灯回路の変形例を示す回路図である。
【００４５】
この点灯回路では、複数のＬＥＤ７０と複数のスイッチング素子７１とが並列に接続され、この並列回路が、電源スイッチ６３及び過電流防止用抵抗７２を介して、電池６１に接続されている。複数のスイッチング素子７１は、スイッチ切り替え回路７３によって順に、あるいは間欠的に、オン／オフ状態が切り替えられる。このような回路構成にすれば、実施例１の照明効果とは異なった照明効果を発揮させることができる。又、光源は、ＬＥＤ以外のエレクトロルミネセンス（ＥＬ）、レーザダイオード等を使用しても良い。
【００４６】
（４）  車輪カバー２０は、複数の留め具２５によってスポーク１４に固定しているが、この固定方法として、留め具２５以外の螺子等を用いた構造によって、車輪カバー２０をスポーク１４に固定するように変更しても良い。
【符号の説明】
【００４７】
１      車椅子
１０      車輪
１２      リム
１４      スポーク
１７      ナット
２０      車輪カバー
２２      装飾
２３      開口部
２４      装着孔
２６      環状部材
３０      照明器具
４０      収納容器
４１      電源収納部
４２      光源収納部
５０      蓋
６１      電池
６３      電源スイッチ
７０      ＬＥＤ
【図１】
0003190891.tif 000003
【図２】
0003190891.tif 000004
【図３】
0003190891.tif 000005
【図４】
0003190891.tif 000006
【図５】
0003190891.tif 000007
【図６】
0003190891.tif 000008
【図７】
0003190891.tif 000009
【図８】
0003190891.tif 000010
【図９】
0003190891.tif 000011
【手続補正書】
【提出日】平成26年4月1日(2014.4.1)
【手続補正１】
【補正対象書類名】実用新案登録請求の範囲
【補正対象項目名】全文
【補正方法】変更
【補正の内容】
【実用新案登録請求の範囲】
【請求項１】
装飾が施された円錐状をなす光透過性のカバー本体と、
前記カバー本体の中央に形成された開口部と、を有し、
前記開口部が、車椅子の車輪の中央のハブに対向するように、前記カバー本体が、前記車輪に着脱自在に装着されて、前記カバー本体の内側が、前記車輪のスポーク部分を外側から覆う車輪カバーに対して、前記カバー本体の内側から照明する車輪カバー用照明器具であって、
前記車輪カバーの前記開口部に着脱自在に装着され、前記開口部の内側へ突出する光透過性の光源収納部を有する収納容器と、
前記光源収納部内に配設され、前記光源収納部の壁を透過し、前記カバー本体の内側に沿って照明光を一定方向へ放射する光源と、
前記収納容器内に設けられ、前記光源を点灯する点灯回路と、
を備えることを特徴とする車輪カバー用照明器具。
【請求項２】
前記開口部には、環状部材が取り付けられ、
前記収納容器は、前記環状部材を介して、前記開口部に着脱自在に装着される構成になっていることを特徴とする請求項１記載の車輪カバー用照明器具。
【請求項３】
前記収納容器は、
前記開口部の外側に突出し、前記点灯回路の電源部を収納する電源収納部と、
前記電源収納部に突設され、前記光源を収納する前記光源収納部と、を有し、
前記電源収納部は、着脱自在の蓋により封止される構成になっていることを特徴とする請求項１又は２記載の車輪カバー用照明器具。
【請求項４】
前記電源部は、
回路駆動用の電池及び電源スイッチを有し、
前記電源スイッチは、前記蓋を介して、外部から押下することによってオン／オフ状態が切り替え可能な構成になっていることを特徴とする請求項３記載の車輪カバー用照明器具。
【請求項５】
前記光源は、円周上に所定間隔隔てて配置された複数の発光ダイオードにより構成されていることを特徴とする請求項４記載の車輪カバー用照明器具。
【請求項６】
前記複数の発光ダイオードは、前記電源スイッチの押下により、同時に又は間欠的に点灯する構成になっていることを特徴とする請求項５記載の車輪カバー用照明器具。